(57)【要約】【課題】コンポジット信号をコンポーネント信号に変換する際に発生したドット妨害を除去することである。【解決手段】フレーム単位の時間差のある２つの信号を入力し、フィルタ演算することで妨害成分を除去するドット妨害除去手段（３）と、上記フレーム単位の時間差のある２つの信号に加え、さらに同じ時間差のある３つ目の信号を入力し、妨害成分を除いた動き信号を検出するドット成分除去動き検出手段（４）とを備え、  上記ドット成分除去動き検出手段（４）の検出信号により、妨害成分ではない動き信号であると判断されたときには上記ドット妨害除去手段においてフィルタ演算をおこなわず、静止信号あるいは妨害成分であるときに上記ドット妨害除去手段においてフィルタ演算をおこなう。【選択図】図３
2010161698.tif 000002
【特許請求の範囲】
【請求項１】
コンポジット信号から輝度信号と色信号とが分離されて得られたコンポーネント信号の妨害成分を除去する映像信号処理装置において、
相互間にフレーム単位の時間差のある第１及び第２のコンポーネント信号を入力とし、ドット妨害成分を除いた動き信号を検出し、検出結果を示すドット成分除去動き信号を出力するドット成分除去動き検出手段と、
上記第１及び第２のコンポーネント信号と、上記ドット成分除去動き信号とを入力とし、
上記ドット成分除去動き信号が、静止信号あるいは妨害成分であると判断されたことを示しているときには、上記第１及び第２のコンポーネント信号に対して妨害成分を除去するためのフィルタ演算をおこない、
上記ドット成分除去動き信号が、妨害成分ではない動き信号であると判断されたことを示しているときには、上記フィルタ演算をおこなわずに、上記第１又は第２のコンポーネント信号をそのまま出力するドット妨害除去手段と
を備えることを特徴とする映像信号処理装置。
【請求項２】
上記ドット成分除去動き検出手段は、さらに、上記第１及び第２のコンポーネント信号に対してフレーム単位の時間差のある第３のコンポーネント信号を入力とし、
上記第１のコンポーネント信号と上記第２のコンポーネント信号が１フレームの時間差を有し、
上記第１のコンポーネント信号と上記第３のコンポーネント信号が２フレームの時間差を有し、
上記ドット成分除去動き検出手段は、
上記第１及び第２のコンポーネント信号に基づいて、１フレーム間差分を求める１フレーム間差分算出回路と、
上記第１及び第３のコンポーネント信号に基づいて、２フレーム間差分を求める２フレーム間差分算出回路と、
上記１フレーム間差分及び上記２フレーム間差分に基づいて検出した動きを示す動き検出信号を出力する動き検出回路と、
上記１フレーム間差分及び上記２フレーム間差分に基づいて検出したドット妨害を示すドット妨害検出信号を出力するドット妨害検出回路と、
上記動き検出信号と上記ドット妨害検出信号とを合成して、上記ドット成分除去動き信号を出力する合成回路とを備え、
上記動き検出回路は、上記１フレーム間差分及び上記２フレーム間差分の少なくとも一方が大きいときに、上記動き検出信号の値を大きくし、
上記ドット妨害検出回路は、上記１フレーム間差分が大きくかつ上記２フレーム間差分が小さいときに、上記ドット妨害検出信号の値を大きくし、
上記合成回路は、上記ドット妨害検出信号の値が大きいときには、上記ドット成分除去動き信号の大きさを、上記動き検出信号よりも小さくする
ことを特徴とする請求項１に記載の映像信号処理装置。
【請求項３】
上記ドット妨害検出回路は、
上記１フレーム間差分から上記２フレーム間差分を減算して両者の差を求める減算回路と、
上記減算回路で求めた差が正の値、又は０である場合に、該差をそのまま出力し、上記差が負の値である場合に、０を出力するリミッタとを備える
ことを特徴とする請求項２に記載の映像信号処理装置。
【請求項４】
上記動き検出回路は、
上記１フレーム間差分と上記２フレーム間差分の大きい方を選択して動き検出信号として出力する
ことを特徴とする請求項２に記載の映像信号処理装置。
【請求項５】
上記ドット妨害除去手段は、
上記第１及び第２のコンポーネント信号に対して、妨害成分を除去するためのフィルタ演算を行うフィルタ回路と、
上記ドット妨害除去動き信号に応じた混合割合で、フィルタ回路の出力、及び上記第１又は第２のコンポーネント信号を混合して出力する混合回路を備える
ことを特徴とする請求項１に記載の映像信号処理装置。
【請求項６】
上記ドット妨害除去手段は、
上記第１及び第２のコンポーネント信号に対して、妨害成分を除去するためのフィルタ演算を行うフィルタ回路と、
上記ドット妨害除去動き信号に応じて、フィルタ回路の出力、及び上記第１又は第２のコンポーネント信号のいずれかを選択して出力する選択回路を備える
ことを特徴とする請求項１に記載の映像信号処理装置。
【請求項７】
上記１フレーム間差分の、色搬送波帯域成分を抽出する第１の搬送波帯域抽出手段と、
上記２フレーム間差分の、色搬送波帯域成分を抽出する第２の搬送波帯域抽出手段とをさらに備え、
上記ドット妨害検出回路は、上記１フレーム間差分の色搬送波帯域成分及び上記２フレーム間差分の色搬送波帯域成分に基づいてドット妨害を示すドット妨害検出信号を出力する
ことを特徴とする請求項２に記載の映像信号処理装置。
【請求項８】
上記搬送波帯域抽出手段は、抽出する搬送波周波数帯域が切り替え可能であることを特徴とする請求項７に記載の映像信号処理装置。
【請求項９】
上記ドット成分除去動き検出手段は、さらに、上記第１及び第２のコンポーネント信号に対してフレーム単位の時間差のある第３のコンポーネント信号を入力とし、
上記第１のコンポーネント信号と上記第２のコンポーネント信号が１フレームの時間差を有し、
上記第１のコンポーネント信号と上記第３のコンポーネント信号が２フレームの時間差を有し、
上記入力されたコンポーネント信号の色搬送波帯域成分を抽出し、第１のコンポーネント搬送波帯域信号を出力する搬送波帯域抽出手段と、
上記搬送波帯域抽出手段の出力を遅延させて、上記第１のコンポーネント搬送波帯域信号に対して１フレーム遅延した第２のコンポーネント搬送波帯域信号を生成し、さらに上記第１のコンポーネント搬送波帯域信号に対して２フレーム遅延した第３のコンポーネント搬送波帯域信号を生成する遅延手段とをさらに備え、
上記ドット成分除去動き検出手段は、
上記第１及び第２のコンポーネント信号に基づいて、第１の１フレーム間差分を求める第１の１フレーム間差分算出回路と、
上記第１及び第３のコンポーネント信号に基づいて、第１の２フレーム間差分を求める第１の２フレーム間差分算出回路と、
上記第１の１フレーム間差分及び上記第１の２フレーム間差分に基づいて検出した動きを示す動き検出信号を出力する動き検出回路と、
上記第１及び第２のコンポーネント搬送波帯域信号に基づいて、第２の１フレーム間差分を求める第２の１フレーム間差分算出回路と、
上記第１及び第３のコンポーネント搬送波信号に基づいて、第２の２フレーム間差分を求める第２の２フレーム間差分算出回路と、
上記第２の１フレーム間差分及び上記第２の２フレーム間差分に基づいて検出したドット妨害を示すドット妨害検出信号を出力するドット妨害検出回路と、
上記動き検出信号と上記ドット妨害検出信号とを合成して、上記ドット成分除去動き信号を出力する合成回路とを備え、
上記動き検出回路は、上記第１の１フレーム間差分及び上記第１の２フレーム間差分の少なくとも一方が大きいときに、上記動き検出信号の値を大きくし、
上記ドット妨害検出回路は、上記第２の１フレーム間差分が大きくかつ上記第２の２フレーム間差分が小さいときに、上記ドット妨害検出信号の値を大きくし、
上記合成回路は、上記ドット妨害検出信号の値が大きいときには、上記ドット成分除去動き信号の大きさを、上記動き検出信号よりも小さくする
ことを特徴とする請求項１に記載の映像信号処理装置。
【請求項１０】
上記搬送波帯域抽出手段は、抽出する搬送波周波数帯域が切り替え可能であることを特徴とする請求項９に記載の映像信号処理装置。
【発明の詳細な説明】
【技術分野】
【０００１】
この発明は、コンポジット信号をコンポーネント信号に変換した際に変換により得られる信号に混入したノイズ成分を検出し除去する映像信号処理装置に関するものである。
【背景技術】
【０００２】
従来の映像信号処理装置は、コンポジット信号をコンポーネント信号に変換するための輝度信号色信号分離（Ｙ／Ｃ分離）において、ラインメモリを備える２次元輝度信号色信号分離フィルタを用いずに分離したときの垂直方向への色信号の境界部分や、
フレームメモリを備える３次元輝度信号色信号分離フィルタを用いずに分離したときの斜め４５度に傾斜した色信号の境界部分に発生するドット妨害（色信号が輝度信号に洩れこんだ妨害、クロスルミナンスとも言う）を生じさせる成分(妨害成分)が、コンポーネント信号（輝度信号）に残留しているため、映像出力においても、この妨害成分が視認されてしまうという問題があった。
【０００３】
この改善策として、色副搬送波の帯域を抽出するバンドパスフィルタと、時間軸方向フィルタによりドット妨害を検出することが知られている（例えば、特許文献１参照）。また、帯域分離フィルタと、振幅安定度検出回路と、位相安定度検出回路と、レベル安定度検出回路を用いてドット妨害判定を行うことも知られている（例えば、特許文献２参照）。
【先行技術文献】
【特許文献】
【０００４】
【特許文献１】特開２００５−１３０２３７号公報
【特許文献２】特開２００７−２２１４０７号公報（第１４頁、図２）
【発明の概要】
【発明が解決しようとする課題】
【０００５】
本発明は、コンポジット信号をコンポーネント信号に変換する際に発生したドット妨害を除去することが可能な映像信号処理装置を提供することを目的とする。
【課題を解決するための手段】
【０００６】
この発明の映像信号処理装置は、
コンポジット信号から輝度信号と色信号とが分離されて得られたコンポーネント信号の妨害成分を除去する映像信号処理装置において、
相互間にフレーム単位の時間差のある第１及び第２のコンポーネント信号を入力とし、ドット妨害成分を除いた動き信号を検出し、検出結果を示すドット成分除去動き信号を出力するドット成分除去動き検出手段と、
上記第１及び第２のコンポーネント信号と、上記ドット成分除去動き信号とを入力とし、
上記ドット成分除去動き信号が、静止信号あるいは妨害成分であると判断されたことを示しているときには、上記第１及び第２のコンポーネント信号に対して妨害成分を除去するためのフィルタ演算をおこない、
上記ドット成分除去動き信号が、妨害成分ではない動き信号であると判断されたことを示しているときには、上記フィルタ演算をおこなわずに、上記第１又は第２のコンポーネント信号をそのまま出力するドット妨害除去手段と
を備えることを特徴とする。
【発明の効果】
【０００７】
本発明によれば、動き信号のときに画像がぼけることなく、コンポジット信号をコンポーネント信号に変換する際に発生したドット妨害を除去するという効果がある。
【図面の簡単な説明】
【０００８】
【図１】この発明の実施の形態１の映像信号処理装置を示すブロック図である。
【図２】図１のドット妨害除去回路３の一例を示すブロック図である。
【図３】図１のドット成分除去動き検出回路４の一例を示すブロック図である。
【図４】図３の動き検出回路４３の一例を示すブロック図である。
【図５】図３のドット妨害検出回路４４の一例を示すブロック図である。
【図６】図３の合成回路４５の一例を示すブロック図である。
【図７】この発明の実施の形態２の映像信号処理装置で用いられるドット成分除去動き検出回路４ａの一例を示すブロック図である。
【図８】図７の合成回路４５ａの一例を示すブロック図である。
【図９】実施の形態２の映像信号処理装置で用いられるドット妨害除去回路３ａを示すブロック図である。
【図１０】この発明の実施の形態３の映像信号処理装置で用いられるドット成分除去動き検出回路４ｂを示すブロック図である。
【図１１】図１０の合成回路４５ｂの一例を示すブロック図である。
【図１２】画面の形状及びフォーマット変換前後の画像の大きさ及び形状の概略を示す概略図である。
【図１３】変換画像の画素数を示す概略図である。
【図１４】この発明の実施の形態４の映像信号処理装置で用いられるドット成分除去動き検出回路４ｃを示すブロック図である。
【図１５】この発明の実施の形態５の映像信号処理装置で用いられるドット成分除去動き検出回路４ｄを示すブロック図である。
【図１６】この発明の実施の形態６の映像信号処理装置を示すブロック図である。
【図１７】図１６のドット成分除去動き検出回路４ｅの一例を示すブロック図である。
【発明を実施するための形態】
【０００９】
実施の形態１．
図１はこの発明の実施の形態１の映像信号処理装置を示す。図示の映像信号処理装置は、第１の１フレーム遅延回路５ａと、第２の１フレーム遅延回路５ｂと、ドット妨害除去回路（妨害成分除去回路）３と、ドット成分除去動き検出回路４とを備える。
入力ポート１から入力された信号である現フレームのコンポーネント信号(輝度信号）（以下「０フレーム遅延信号」ということがある）ＶＳ０は、第１の１フレーム遅延回路５ａと、ドット妨害除去回路３と、ドット成分除去動き検出回路４に入力される。
【００１０】
第１の１フレーム遅延回路５ａは、現フレーム信号ＶＳ０を１フレーム期間遅延して、１フレーム遅延信号ＶＳ１を出力する。
第２の１フレーム遅延回路５ｂは、１フレーム遅延信号ＶＳ１を１フレーム期間遅延して、２フレーム遅延信号ＶＳ１を出力する。
なお、本発明は、上記のような遅延回路を用いる構成に限定されず、相互間にフレーム単位の時間差を有するコンポーネント信号が得られるものであれば良い。
【００１１】
ドット成分除去動き検出回路４は、０フレーム遅延信号ＶＳ０、１フレーム遅延信号ＶＳ１及び２フレーム遅延信号ＶＳ２を受けて、これらに基づいて、ドット成分除去動き検出結果を示す信号（ドット成分除去動き信号）ＭＷＤを生成して出力する。
【００１２】
ドット妨害除去回路３ではドット成分除去動き信号ＭＷＤを制御信号として、入力された０フレーム遅延信号ＶＳ０及び１フレーム遅延信号ＶＳ１に対して妨害成分を除去するための３次元フィルタ演算した信号とフィルタ演算しない信号を、ドット成分除去動き信号ＭＷＤに応じた割合で混合して、ドット妨害除去映像信号ＶＳｍとして出力する。
フィルタ演算しない信号としては、例えば０フレーム遅延信号ＶＳ０自体、あるいは１フレーム遅延信号ＶＳ１自体を用いる。なお、フィルタ演算しない信号をフィルタ演算に要する処理時間分だけ遅延させた信号を用いても良い。
【００１３】
図２は図１のドット妨害除去回路３の一例を示す。図示のドット妨害除去回路３は、フィルタ３１と、混合回路３２とを備えている。この回路へ入力される０フレーム遅延信号ＶＳ０及び１フレーム遅延信号ＶＳ１は、フィルタ３１に入力され、３次元平滑化処理された出力信号ＶＳｆは混合回路３２に送られる。混合回路３２には上記フィルタ３１の出力ＶＳｆと、１フレーム遅延信号ＶＳ１とが入力され、ドット成分除去動き信号ＭＷＤに応じて混合動作が行われる。
混合回路３２の出力がドット妨害除去映像信号ＶＳｍとなる。
【００１４】
ドット成分除去動き検出回路４から出力されるドット成分除去動き信号ＭＷＤが、比較的大きな値を有する（ドット成分を除去した後も、動きがある（比較的大きな動きがあると判定されている）場合には、混合回路３２において、１フレーム遅延信号ＶＳ１の混合割合が大となるよう混合され、ドット成分除去動き信号ＭＷＤが、比較的小さな値を有する（ドット妨害成分が多い、或いは入力信号が静止信号であると判定されている場合）には、混合回路３２において、フィルタ出力ＶＳｆの混合割合が大となるよう混合される。
【００１５】
図３は図１のドット成分除去動き検出回路４の一例を示す。図示のドット成分除去動き検出回路４は、１フレーム間差分算出回路４１と、２フレーム間差分算出回路４２と、動き検出回路４３と、ドット妨害検出回路４４と、合成回路４５とを備える。
【００１６】
この回路へ入力される０フレーム遅延信号ＶＳ０は、１フレーム間差分算出回路４１及び２フレーム間差分算出回路４２に入力され、１フレーム遅延信号ＶＳ１は、１フレーム間差分算出回路４１に入力され、２フレーム遅延信号ＶＳ２は、２フレーム間差分算出回路４２に入力される。
【００１７】
１フレーム間差分算出回路４１は、０フレーム遅延信号ＶＳ０と１フレーム遅延信号ＶＳ１の差の絶対値を求め、１フレーム間差分信号ＤＶ１として出力する。
２フレーム間差分算出回路４２は、０フレーム遅延信号ＶＳ０と２フレーム遅延信号ＶＳ２の差の絶対値を求め、２フレーム間差分信号ＤＶ２として出力する。
本願では、１フレーム間差分信号ＤＶ１で表される差分を同じ符号ＤＶ１で表し、２フレーム間差分信号ＤＶ１で表される差分を同じ符号ＤＶ２で表すことがある。他の信号についても同じである。
１フレーム間差分算出回路４１から出力される１フレーム間差分信号ＤＶ１は、動き検出回路４３とドット妨害検出回路４４に入力され、２フレーム間差分算出回路４２から出力される２フレーム間差分信号ＤＶ２も同様に、動き検出回路４３とドット妨害検出回路４４に入力される。
【００１８】
動き検出回路４３は、１フレーム間差分信号ＤＶ１と２フレーム間差分信号ＤＶ２とに基づいて動きを検出し、動き検出信号ＭＮを出力する。
ドット妨害検出回路４４は、１フレーム間差分信号ＤＶ１と２フレーム間差分信号ＤＶ２とに基づいてドット妨害を検出し、ドット妨害検出信号ＢＧを出力する。
【００１９】
動き検出回路４３から出力される動き検出信号ＭＮとドット妨害検出回路４４から出力されるドット妨害検出信号ＢＧは合成回路４５に入力される。
合成回路４５は、動き検出信号ＭＮとドット妨害検出信号ＢＧとを合成して、合成結果を、ドット成分除去動き信号ＭＷＤとして出力する。
【００２０】
図４は図３の動き検出回路４３の一例を示す。図示の動き検出回路４３は最大値回路４３１を有する。動き検出回路４３へ入力される１フレーム間差分信号ＤＶ１及び２フレーム間差分信号ＤＶ２は最大値回路４３１に入力され、最大値回路４３１は、１フレーム間差分信号ＤＶ１（で表される１フレーム間差分）と、２フレーム間差分信号ＤＶ２（で表される２フレーム間差分）のうち大きい方（最大値）を動き検出信号ＭＮとして出力する。従って、１フレーム間差分信号ＤＶ１及び２フレーム間差分信号ＤＶ２の少なくとも一方が大きい場合に、動き検出信号ＭＮは大きくなる。最大値回路４３１の出力が、動き検出回路４３の出力（動き検出信号ＭＮ）となる。
【００２１】
図５は図３のドット妨害検出回路４４の一例を示す。図示のドット妨害検出回路４４は、減算回路４４１とリミッタ４４２とを有する。
ドット妨害検出回路４４へ入力される１フレーム間差分信号ＤＶ１及び２フレーム間差分信号は減算回路４４１に入力され、減算回路４４１は、１フレーム間差分信号ＤＶ１（で表される１フレーム間差分）から２フレーム間差分信号ＤＶ２（で表される２フレーム間差分）を減算して、減算結果ＥＤを出力する。
動き信号であれば(映像信号が画像の動きの部分の映像信号であれば)１フレーム間差分ＤＶ１も、２フレーム間差分ＤＶ２も大きくなるが、ドット妨害であれば、１フレーム間差分ＤＶ１は大きくなる一方、２フレーム間差分ＤＶ２は小さくなる。これは、１フレーム離れた信号の色搬送波位相は逆位相となるのに対して、２フレーム離れた信号の色搬送波位相は同位相となるためである。このことから、動き信号であれば、減算結果ＥＤは小さい値であるが、ドット妨害であれば減算結果ＥＤは大きくなる。
リミッタ４４２は、減算結果ＥＤを受けて、負の値とならないように制限した値を出力する。即ち減算結果ＥＤが負であれば、リミッタ４４２の出力ＢＧは０となり、減算結果ＥＤが負でなければ、減算結果ＥＤがそのままリミッタ４４２から出力される。
【００２２】
図６は図３の合成回路４５の一例を示す。図示の合成回路４５は減算回路４５１と、リミッタ４５２とを備える。合成回路４５へ入力される動き検出信号ＭＮ及びドット妨害検出信号ＢＧは減算回路４５１に入力され、減算回路４５１は、動き検出信号ＭＮからドット妨害検出信号ＢＧを減算し、減算結果ＦＤを出力する。
動き信号であれば動き検出信号ＭＮが大きくなるが、コンポーネント信号がドット妨害であれば（ドット妨害成分を含む場合には）ドット妨害検出信号ＢＧが大きくなることから、動き信号であれば減算結果ＦＤの値が大きくなるが、ドット妨害であれば減算結果ＦＤの値が小さくなる。
リミッタ４５２では、減算結果ＦＤを受けて、負の値とならないように制限した値をドット成分除去動き信号ＭＷＤとして出力する。即ち減算結果ＦＤが負であれば、ドット成分除去動き信号ＭＷＤは０となり、減算結果ＦＤが負でなければ、減算結果ＦＤがそのままリミッタ４５２からドット成分除去動き信号ＭＷＤとして出力される。
【００２３】
上記の構成により、１フレーム間差分信号ＤＶ１及び２フレーム間差分信号ＤＶ２を用いて、動き検出回路４３では動きの程度を検出し、ドット妨害検出回路４４ではドット妨害の程度を検出する。
【００２４】
本発明のドット成分除去動き検出回路４においては、通常の動き検出で検出する「動きの程度」のみでなく、「動きの程度」と「ドット妨害の程度」の組み合わせに応じて、ドット成分を除去した動きの程度を検出することができる。
ドット妨害除去回路３の混合回路３２では、上記の検出結果のうち「動きの程度が大きく、ドット妨害の程度が小さいとき（ドット成分除去動き検出信号ＭＷＤの値が大きいとき）に、フィルタ処理をしない信号の混合割合を増やし、それ以外のときには、フィルタ処理をした信号の混合割合を増やしている。
上記の動作により、動き信号のときに画像がぼけることなく、コンポジット信号をコンポーネント信号に変換する際に発生したドット妨害を除去することができる。
【００２５】
実施の形態２．
図７はこの発明の実施の形態２の映像信号処理装置で用いられるドット成分除去動き検出回路４ａを示す。
図７のドット成分除去動き検出回路４ａは、図３のドット成分除去動き検出回路４と概して同じであるが、差分判定回路４６ａ及び４６ｂとが付加されている点で異なる。
差分判定回路４６ａは、１フレーム間差分算出回路４１の出力ＤＶ１を所定の差分閾値ＤＴ１と比較して、比較結果を示す１ビットの信号ＤＢ１を出力する。同様に、差分判定回路４６ｂは、１フレーム間差分算出回路４２の出力ＤＶ２を所定の差分閾値ＤＴ２と比較して、比較結果を示す１ビットの信号ＤＢ２を出力する。
【００２６】
動き検出回路４３は、１ビットの信号ＤＢ１、ＤＢ２に対して図４を参照して説明したのと同様の処理を行い、「動きあり」又は「動きなし」を示す２値の、即ち１ビットの動き検出信号ＭＮを出力する。ドット妨害検出回路４４は、１ビットの信号ＤＢ１、ＤＢ２に対して図５を参照して説明したのと同様の処理を行い、「ドット妨害あり」又は「ドット妨害なし」を示す２値の、即ち１ビットのドット妨害検出信号ＢＧを出力する。
このように本実施の形態では、動き検出結果とドット妨害検出結果が１ビットの信号で表わされる。
【００２７】
図８はこの発明の実施の形態２における合成回路４５ａを示す。図示の合成回路４５ａはＮＯＴ回路４５３とＡＮＤ回路４５４とを備える。合成回路４５ａと実施の形態１における合成回路４５との違いは、合成回路４５が多ビット信号を受けるのに対して、合成回路４５ａが１ビット信号を受けて合成処理するようにした点である。つまり動き信号であれば動き検出信号ＭＮが「１」となるが、ドット妨害であればドット妨害検出信号ＢＧが「１」となることから、ドット妨害であればＮＯＴ回路４５３の出力が「０」となる。その結果、「動きあり」で「ドット妨害なし」の場合にＡＮＤ回路４５４の出力は「１」となり、それ以外のときにＡＮＤ回路４５４の出力はＡＮＤ回路４５４の出力は「０」となる。ＡＮＤ回路４５４の出力は合成回路４５ａの出力、即ちドット妨害除去動き信号ＭＷＤとなる。
【００２８】
図９はこの発明の実施の形態２で用いられるドット妨害除去回路３ａを示す。
図示のドット妨害除去回路３ａは、図２のドット妨害除去回路３と概して同じであるが、図２の混合回路３２の代わりに、選択回路３３を備える。
選択回路３３は、ドット成分除去動き検出信号ＭＷＤが「１」のときに、フィルタ処理しない信号（１フレーム遅延信号ＶＳ１）を選択し、それ以外のとき（ドット成分除去動き検出信号ＭＷＤが「０」のとき）に、フィルタ処理した信号（フィルタ３１の出力）を選択する。
【００２９】
これは、実施の形態１のドット成分除去動き検出信号ＭＷＤが多ビット信号であるのに対して、実施の形態２のドット成分除去動き検出信号ＭＷＤは１ビット信号であることによるものであり、実施の形態１では多ビットのドット成分除去動き検出信号ＭＷＤを受けた混合回路３２によって混合動作がなされていたが、本実施の形態では１ビットのドット成分除去動き検出信号ＭＷＤを受けた選択回路３３によって選択動作をおこなうこととしている。但し、選択動作は、混合比１：０または０：１の混合と見ることができ、従って、選択回路も混合回路の一種と見ることもできる。
【００３０】
上記の構成により、実施の形態１では多ビットとして扱っていたドット成分除去動き検出信号ＭＷＤが、実施の形態２では１ビット信号として扱うことができ、混合回路３２を用いていた実施の形態１のような画像の動きの程度に応じた割合で、フィルタ処理しない信号とフィルタ処理した信号を混合することができない反面、回路規模の削減が図ることができる効果がある。
【００３１】
実施の形態３．
図１０はこの発明の実施の形態３の映像信号処理装置で用いられるドット成分除去動き検出回路４ｂを示す。
図１０に示されるドット成分除去動き検出回路４ｂは、図３のドット成分除去動き検出回路４の代わりに用いられるものであり、図１０のドット成分除去動き検出回路４ａは、図３のドット成分除去動き検出回路４と概して同じであるが、図３の合成回路４５の代わりに、合成回路４５ｂが用いられている点で異なる。
合成回路４５ｂには、動き検出信号ＭＮと、ドット妨害検出信号ＢＧのほか、ドット妨害閾値ＢＴが入力されている。
【００３２】
図１１は図１０の合成回路４５ｂの一例を示す。
図示の合成回路４５ｂは比較回路４５５と判定回路４５６とを備える。図１１の合成回路４５ａでは、ドット妨害検出信号ＢＧをドット妨害検出閾値ＢＴと比較し、比較結果を用いて判定回路４５６において動き検出信号ＭＮの値を制御する点である。
つまり、ドット妨害検出信号ＢＧをドット妨害検出閾値ＢＴと比較し、ドット妨害検出信号ＢＧがドット妨害検出閾値ＢＴより大きければ、比較結果ＢＢを「１」とし、そうでなければ、比較結果ＢＢを「０」とする。このような比較の結果を示す１ビットの信号（１ビット化したドット妨害検出信号）ＢＢが「１」のときには、判定回路４５６において動き検出信号ＭＮを全ビット「０」とする。１ビット化したドット妨害検出信号ＢＢが「０」のときには、動き検出信号ＭＮをそのまま出力する。
判定回路４５６の出力が、合成回路４５ｂの出力、従って、ドット成分除去動き信号ＭＷＤとなる。
【００３３】
上記の構成により、実施の形態１の合成回路４５では多ビットとして扱っていた信号を、実施の形態２の合成回路４５ｂでは部分的に１ビット信号として扱う（ドット妨害検出信号を１ビットの信号に変換する）ことで、合成回路の動作の簡単化、回路規模の削減が図ることができる効果がある。また、ドット成分除去動き信号ＭＷＤについては、実施の形態１と同様多ビットとして扱うことができ、画像の動きの程度に応じた割合でフィルタ処理しない信号とフィルタ処理信号を混合することができるので、「動き」と「静止」の間の切り替わりを滑らかに表現することができる。
【００３４】
実施の形態４．
実施の形態１〜３では、ドット妨害成分除去動き検出回路４によりドット成分除去動き検出信号ＭＷＤを検出し、静止信号あるいは妨害成分であるときにドット妨害除去回路３においてフィルタ演算をおこなうことで、動き信号のときに画像がぼけることなく、ドット妨害を除去するという効果があるが、動き成分が色副搬送波に近い周波数の場合には、動き検出結果とドット妨害検出結果の差が少なくなり、その結果、ドット成分除去動き信号の検出漏れが発生し、出力画像がぼける症状になりやすい。ドット妨害検出回路４４にフレーム間差分信号ＤＶ１、ＤＶ２のうち色副搬送波帯域成分のみを抽出して入力することでドット成分除去動き信号の検出漏れを少なくすることができる。ただし、コンポジット信号をコンポーネント信号に変換する際に、信号フォーマットも変換され水平方向にスケーリング処理されている場合には、色副搬送波帯域抽出に際して、この点を考慮に入れる必要がある。
【００３５】
図１２にＮＴＳＣ信号をＨＤフォーマットの１１２５ｉ信号に変換する場合の出力画像のアスペクト比などを概略的に示す。図示のようにアスペクト比４：３のＮＴＳＣ信号の画面ＳＥを、そのアスペクト比を保ったまま、アスペクト比１６：９のＨＤフォーマットの画面（Ｗａ：Ｈｃ＝１６：９）に、できるだけ大きくはめ込む場合、一般的には、ライン数を１１２５ラインに変換し、同じ比率（スケーリング率）で横方向を拡大して拡大後の有効画面部分ＳＦ（Ｗｂ：Ｈｃ＝４：３）を形成し、画面の左右に黒い帯状の部分ＢＳを残す。拡大後の有効画面部分の画素数ＳＦは、図１３に示すように、１４４０画素となる。
ＮＴＳＣの有効画素数が７６８画素であるので、スケーリング率は１４４０／７６８＝１．８７５である。
ＮＴＳＣ信号における色副搬送波周波数ｆｓｃ３．５８ＭＨｚは、４ｆｓｃ＝１４．３１８ＭＨｚでサンプリングされているが、７４．２５ＭＨｚでサンプリングされる１１２５ｉ信号においては、上記のスケーリング率から色副搬送波周波数は９．９ＭＨｚに変換されている。よって、ＮＴＳＣ信号が１１２５ｉ信号に変換されている場合、変換後の信号から色搬送波成分を抽出するには、９．９ＭＨｚの帯域を抽出するフィルタを用いる。
【００３６】
図１４はこの発明の実施の形態４の映像信号処理装置で用いられるドット成分除去動き検出回路４ｃを示す。
図１４に示されるドット成分除去動き検出回路４ｃは、図３のドット成分除去動き検出回路４の代わりに用いられるものであり、図３のドット成分除去動き検出回路４と概して同じであるが、第１及び第２の搬送波帯域抽出手段としての搬送波帯域抽出フィルタ４７及び４８が付加されている点で異なる。
【００３７】
搬送波帯域抽出フィルタ４７は、１フレーム間差分信号ＤＶ１の色副搬送波周波数成分ＤＢ１を抽出する。搬送波帯域抽出フィルタ４８は、２フレーム間差分信号ＤＶ２色副搬送波周波数成分ＤＢ２を抽出する。
水平スケーリングしない場合は色副搬送波周波数ｆｓｃ３．５８ＭＨｚを抽出すればよいが、上記のようにフォーマット変換のため水平スケーリングをおこなった信号の場合は色副搬送波周波数が変換された帯域を抽出する必要がある。そこで、第１及び第２の搬送波帯域抽出フィルタ４７、４８は、スケーリング前の信号における色副搬送波周波数成分に対応する、変換後の成分（上記の例では、９．９ＭＨｘの成分）を抽出するように構成されている。
【００３８】
ドット妨害検出回路４４の動作は、図３を参照して説明したのと同じであるが、入力が、搬送波帯域抽出フィルタ４７、４８の出力、即ち、１フレーム間差分ＤＶ１の搬送波帯域成分ＤＢ１、及び２フレーム間差分ＤＶ２の搬送波帯域成分ＤＢ２である点で異なる。
【００３９】
実施の形態５．
図１５は、実施の形態５の映像信号処理装置で用いられるドット成分除去動き検出回路４ｄを示す。図示のドット成分除去動き検出回路４ｄは、概して図１４のドット成分除去動き検出回路４ｃと同じであるが、図１４の搬送波帯域抽出フィルタ４７の代わりに用いられた複数の搬送波帯域抽出フィルタ４７ａ乃至４７ｎと選択回路４９とで搬送波帯域抽出手段が構成され、搬送波帯域抽出フィルタ４８の代わりに用いられた複数の搬送波帯域抽出フィルタ４８ａ乃至４８ｎと選択回路５０とで搬送波帯域抽出手段が構成されている。
【００４０】
図１４に示すドット成分除去動き検出回路４ｃは変換後の信号フォーマットが１種類の場合に対応するものであったが、図１５に示すドット成分除去動き検出回路４ｄは、変換後の信号フォーマットが複数の場合に対応する。
選択回路４９と選択回路５０は連動するものであり、フォーマット変換信号ＦＣにより示されている変換後のフォーマットに応じて、それぞれ、複数の搬送波帯域抽出フィルタ４７ａ乃至４７ｎ、４８ａ乃至４８ｎのうちのいずれかを選択する。
このように構成することにより、変換後の信号フォーマットにおける、搬送波帯域成分を抽出することができ、変換後の信号フォーマットごとに適切なドット成分除去を行うことができる。
【００４１】
なお、図１５に示すように、複数の搬送波帯域抽出フィルタと選択回路の組み合わせの代わりに、搬送波帯域抽出手段として、タップ係数を切り換えることが可能な搬送波帯域フィルタを用いて、フォーマット変換信号ＦＣで示される変換後の信号フォーマットに応じてタップ係数を切り換えることで、変換後の信号の帯域成分を抽出するようにしても良い。
【００４２】
実施の形態６．
図１６は、実施の形態６の映像信号処理装置を示す。
図示の映像信号処理装置は、概して図１の映像信号処理装置と同じであるが、搬送波帯域抽出フィルタ６、並びに１フレーム遅延回路７ａ及び７ｂが付加され、図１のドット成分除去動き検出回路４の代わりに、ドット成分除去動き検出回路４ｅが設けられている点で異なる。
【００４３】
搬送波帯域抽出フィルタ６は、０フレーム遅延信号ＶＳ０から、色搬送波帯域成分を抽出して、搬送波帯域信号ＶＣ０として出力する。
ここで言う色搬送波帯域成分は、フォーマット変換されている場合には、フォーマット変換後の色搬送波周波数帯域成分である。
【００４４】
１フレーム遅延回路７ａは、搬送波帯域信号ＶＣ０を１フレーム期間遅延して、１フレーム遅延搬送波帯域信号ＶＣ１を出力する。
１フレーム遅延回路７ｂは、１フレーム遅延搬送波帯域信号ＶＣ１を１フレーム期間遅延して、２フレーム遅延搬送波帯域信号ＶＣ２を出力する。
なお、本発明は、上記のような遅延回路を用いる構成に限定されず、相互間にフレーム単位の時間差を有するコンポーネント搬送波帯域信号が得られるものであれば良い。
【００４５】
ドット成分除去動き検出回路４ｅは、例えば図１７に示すように構成されている。
図示のドット成分除去動き検出回路４ｅは、概して図３に示す回路と同じであるが、１フレーム間差分算出回路５１及び２フレーム間差分算出回路５２が付加されており、ドット妨害検出回路４４が、１フレーム間差分算出回路４１及び２フレーム間差分算出回路４２の出力の代わりに、１フレーム間差分算出回路５１及び２フレーム間差分算出回路５２の出力を受けている点で異なる。
【００４６】
１フレーム間差分算出回路５１は、搬送波帯域信号ＶＣ０と１フレーム遅延搬送波帯域信号ＶＣ１の差の絶対値を求め、１フレーム間差分信号ＤＣ１として出力する。
２フレーム間差分算出回路５２は、搬送波帯域信号ＶＣ０と２フレーム遅延搬送波帯域信号ＶＣ２の差の絶対値を求め、２フレーム間差分信号ＤＣ２として出力する。
【００４７】
ドット妨害検出回路４４の動作は、図３を参照して説明したのと同じであるが、入力が、ドット妨害成分である搬送波帯域信号ＶＣ０並びにそれをフレーム遅延した信号ＶＣ１、ＶＣ２から得られる差分ＤＣ１、ＤＣ２である点で異なる。従って、実施の形態４について述べたのと同様に、正確にドット妨害検出を行なうことができる。
【００４８】
なお、搬送波帯域抽出フィルタ６の代わりに、図１５を参照して説明したのと同様に複数の帯域抽出フィルタと選択回路の組み合わせを用いて、複数の信号フォーマットに対応可能としても良い。また、タップ係数切り換ええ可能なフィルタを用い、信号フォーマットに応じてタップ係数を切り換えることとしても良い。
【符号の説明】
【００４９】
１  入力ポート、  ２  出力ポート、  ３  ドット妨害除去回路、  ４、４ａ、４ｂ、４ｃ、４ｄ、４ｅ  ドット成分除去動き検出回路、  ５  １フレーム遅延回路、  ６  搬送波帯域抽出フィルタ、  ３１  フィルタ、  ３２  混合回路、  ３３  選択回路、  ４１  １フレーム間差分算出回路、  ４２  ２フレーム間差分算出回路、  ４３  動き検出回路、  ４４  ドット妨害検出回路、  ４５  合成回路、  ４６  差分判定回路、  ４７、４８  搬送波帯域抽出フィルタ、  ４３１  最大値回路、  ４４１  減算回路、  ４４２  ドット妨害検出回路、  ４５１  減算回路、  ４５２  リミッタ、  ４５３  ＮＯＴ回路、  ４５４  ＡＮＤ回路、  ４５５  比較回路、  ４５６  判定回路、  ５１  １フレーム間差分算出回路、  ５２  ２フレーム間差分算出回路。
【図１】
2010161698.tif 000003
【図２】
2010161698.tif 000004
【図３】
2010161698.tif 000005
【図４】
2010161698.tif 000006
【図５】
2010161698.tif 000007
【図６】
2010161698.tif 000008
【図７】
2010161698.tif 000009
【図８】
2010161698.tif 000010
【図９】
2010161698.tif 000011
【図１０】
2010161698.tif 000012
【図１１】
2010161698.tif 000013
【図１２】
2010161698.tif 000014
【図１３】
2010161698.tif 000015
【図１４】
2010161698.tif 000016
【図１５】
2010161698.tif 000017
【図１６】
2010161698.tif 000018
【図１７】
2010161698.tif 000019